(57)【要約】【課題】建物の外壁面における意匠性を向上させることが可能な壁面構造を提供することを目的とする。【解決手段】建物１における特定階の外壁面（外壁２１）に沿って上下方向に延在する複数本の縦材１０Ａ〜１０Ｅが設けられ、特定階の上下方向に隣接する隣接階は、特定階の外壁面よりも室内側に後退する後方外壁面（後方外壁２９）を含んで構成され、隣接階には、後方外壁面の前方に、特定階の外壁面に対して縦断面視で凹んだ状態となる凹部（インナーバルコニー６）が形成されており、上下方向に延在する複数の縦材１０Ａ〜１０Ｅは、凹部の前方を通るようにして隣接階側に連続して延在している。【選択図】図１
2019100161.tif 000002
【特許請求の範囲】
【請求項１】
建物における特定階の外壁面に沿って上下方向に延在する複数本の縦材が設けられ、
前記特定階の上下方向に隣接する隣接階は、前記特定階の外壁面よりも室内側に後退する後方外壁面を含んで構成され、
前記隣接階には、前記後方外壁面の前方に、前記特定階の外壁面に対して縦断面視で凹んだ状態となる凹部が形成されており、
上下方向に延在する前記複数の縦材は、前記凹部の前方を通るようにして前記隣接階側に連続して延在していることを特徴とする壁面構造。
【請求項２】
請求項１に記載の壁面構造において、
前記縦材は、
前記建物の躯体に固定されたブラケットと、
前記ブラケットに取り付けられた化粧カバーと、
を備えることを特徴とする壁面構造。
【請求項３】
請求項２に記載の壁面構造において、
前記ブラケットは、断面ハット型に形成されて、
前記建物の躯体に固定された二つのフランジ部と、
前記二つのフランジ部間に設けられるとともに屋外側に突出し、前記化粧カバーが取り付けられたウェブ部と、
を有することを特徴とする壁面構造。
【請求項４】
請求項３に記載の壁面構造において、
前記ウェブ部の内側には、不燃材が設けられているとともに通気用の隙間が形成されていることを特徴とする壁面構造。
【請求項５】
請求項１〜４のいずれか一項に記載の壁面構造において、
前記複数の縦材間に、屋外装置が設けられて固定されていることを特徴とする壁面構造。
【請求項６】
請求項１〜５のいずれか一項に記載の壁面構造において、
前記複数の縦材には、前記特定階の外壁面の前方に位置する第一部位と、前記凹部の前方に位置する第二部位とで異なる断面形状に形成され、かつ、前記第一部位の前端面と前記第二部位の前端面とが面一に設定された縦材が含まれていることを特徴とする壁面構造。
【請求項７】
請求項２〜６のいずれか一項に記載の壁面構造において、
前記複数の縦材は、上下に分割されており、下方の部位における上端部と、上方の部位における下端部とが、前記ブラケットによって前記建物の躯体に固定されていることを特徴とする壁面構造。
【発明の詳細な説明】
【技術分野】
【０００１】
本発明は、建物の壁面構造に関する。
【背景技術】
【０００２】
従来、住宅等の建物においては、外壁面の縦方向のラインを強調する意匠要素として、例えば、隣り合うサッシ間に設けられる目板部材や、壁面から浮き出すように設けられる外装用の柱であるピラスター、開口部を左右に仕切る方立等のような各種の縦材を設けることがある（例えば、特許文献１〜３参照。）。
すなわち、以上のような各種の縦材は、上下階方向に真っすぐ形成された壁面や、その壁面に形成された開口部に対して用いられるものである。
【先行技術文献】
【特許文献】
【０００３】
【特許文献１】特開平９−７８８１９号公報
【特許文献２】特開２００９−２６３９１８号公報
【特許文献３】特許第５７５７０１１号公報
【発明の概要】
【発明が解決しようとする課題】
【０００４】
ところで、住宅等の建物には、インナーバルコニーが設けられたり、逆に、上階部分がオーバーハングして設けられたりする場合がある。また、建物が建築される敷地によっては隣地境界線や道路境界線等との関係から斜線制限を受けることがあり、その場合、上階部分を、下階部分に対してセットバックさせる必要がある。すなわち、たとえば同じ向きに設けられた外壁面であっても、上下階の外壁面が上下に亘って真っすぐに設けられているとは限らない場合が多々ある。
そして、このような外壁面に、従来のような各種の縦材を設けた場合、上下階の境目で縦方向のラインが途切れてしまい、意匠性が良くない場合があった。
【０００５】
本発明は上記事情に鑑みてなされたものであり、建物の外壁面における意匠性を向上させることが可能な壁面構造を提供することを目的とする。
【課題を解決するための手段】
【０００６】
請求項１に記載の発明は、例えば図１〜図１３に示すように、建物１における特定階の外壁面（外壁２１）に沿って上下方向に延在する複数本の縦材１０Ａ〜１０Ｅが設けられ、
前記特定階の上下方向に隣接する隣接階は、前記特定階の外壁面よりも室内側に後退する後方外壁面（後方外壁２９）を含んで構成され、
前記隣接階には、前記後方外壁面の前方に、前記特定階の外壁面に対して縦断面視で凹んだ状態となる凹部（インナーバルコニー６）が形成されており、
上下方向に延在する前記複数の縦材１０Ａ〜１０Ｅは、前記凹部の前方を通るようにして前記隣接階側に連続して延在していることを特徴とする。
【０００７】
請求項１に記載の発明によれば、上下方向に延在する複数の縦材１０Ａ〜１０Ｅが、隣接階における凹部（インナーバルコニー６）の前方を通るようにして隣接階側に連続して延在しているので、上下階の外壁面（外壁２１及び後方外壁２９）が上下に亘って真っすぐに設けられていない外壁面であっても、縦方向のラインを強調することができ、意匠性を向上させることができる。
【０００８】
請求項２に記載の発明は、例えば図５〜図１３に示すように、請求項１に記載の壁面構造において、
前記縦材１０Ａ〜１０Ｅは、
前記建物１の躯体に固定されたブラケット１１〜１３と、
前記ブラケットに取り付けられた化粧カバー１４，１５と、
を備えることを特徴とする。
【０００９】
請求項２に記載の発明によれば、縦材１０Ａ〜１０Ｅは、建物１の躯体に固定されたブラケット１１〜１３と、ブラケット１１〜１３に取り付けられた化粧カバー１４，１５と、を備えるので、化粧カバー１４，１５をブラケット１１〜１３で支持することにより、凹部（インナーバルコニー６）の外側を通るようにして配置することができる。
【００１０】
請求項３に記載の発明は、例えば図６〜図１３に示すように、請求項２に記載の壁面構造において、
前記ブラケット１１，１２は、断面ハット型に形成されて、
前記建物１の躯体に固定された二つのフランジ部１１ａ・１１ａ，１２ａ・１２ａと、
前記二つのフランジ部１１ａ・１１ａ，１２ａ・１２ａ間に設けられるとともに屋外側に突出し、前記化粧カバー１４，１５が取り付けられたウェブ１１ｂ，１２ｂ部と、
を有することを特徴とする。
【００１１】
請求項３に記載の発明によれば、ブラケット１１，１２は、建物１の躯体に固定された二つのフランジ部１１ａ・１１ａ，１２ａ・１２ａを有するので、二つのフランジ部１１ａ・１１ａ，１２ａ・１２ａによって安定的に化粧カバー１４，１５を建物１の躯体に取り付けることができる。
また、ブラケット１１，１２は、断面ハット型に形成されて、二つのフランジ部１１ａ・１１ａ，１２ａ・１２ａ間に設けられるとともに屋外側に突出し、化粧カバー１４，１５が取り付けられたウェブ部１１ｂ，１２ｂを有するので、ウェブ部１１ｂ，１２ｂの内側を開放状態にすることができる。そのため、縦材１０Ａ〜１０Ｅの内部における通気性を妨げない。
【００１２】
請求項４に記載の発明は、例えば図９，図１１，図１２に示すように、請求項３に記載の壁面構造において、
前記ウェブ部１１ｂ，１２ｂの内側には、不燃材１８が設けられているとともに通気用の隙間Ｓが形成されていることを特徴とする。
【００１３】
請求項４に記載の発明によれば、ウェブ部１１ｂ，１２ｂの内側には、不燃材１８が設けられているとともに通気用の隙間Ｓが形成されているので、縦材１０Ａ〜１０Ｅの内部における通気性を妨げないようにしながら、縦材１０Ａ〜１０Ｅにおけるブラケット１１，１２の位置に耐火ラインを形成することができる。
【００１４】
請求項５に記載の発明は、例えば図１，図４に示すように、請求項１〜４のいずれか一項に記載の壁面構造において、
前記複数の縦材１０Ａ〜１０Ｅ間に、屋外装置８０が設けられて固定されていることを特徴とする。
【００１５】
請求項５に記載の発明によれば、複数の縦材１０Ａ〜１０Ｅ間に、屋外装置８０が設けられて固定されているので、屋外装置８０を、縦材１０Ａ〜１０Ｅのブラケット１１〜１３を介して、建物１の躯体に安定的に取り付けることができる。また、屋外装置８０を建物１の躯体に直接固定する必要がないので、外壁面（外壁２１，２５）に設けられる外壁材Ｗに欠損箇所が生じることを防ぐことができる。
【００１６】
請求項６に記載の発明は、例えば図５〜図１２に示すように、請求項１〜５のいずれか一項に記載の壁面構造において、
前記複数の縦材１０Ａ〜１０Ｅには、前記特定階の外壁面（外壁２１）の前方に位置する第一部位１５１と、前記凹部（インナーバルコニー６）の前方に位置する第二部位１５２とで異なる断面形状に形成され、かつ、前記第一部位１５１の前端面と前記第二部位１５２の前端面とが面一に設定された縦材１０Ｂ〜１０Ｄが含まれていることを特徴とする。
【００１７】
請求項６に記載の発明によれば、複数の縦材１０Ａ〜１０Ｅには、特定階の外壁面（外壁２１）の前方に位置する第一部位１５１と、凹部（インナーバルコニー６）の前方に位置する第二部位１５２とで異なる断面形状に形成され、かつ、第一部位１５１の前端面と第二部位１５２の前端面とが面一に設定された縦材１０Ｂ〜１０Ｄが含まれているので、例えば外壁面の位置や凹部の位置に、屋外側に突出する物があった場合に好適に対応できる。さらに、建物１を正面から見た場合に、第一部位１５１と第二部位１５２とで断面形状が異なることを見えにくくすることができる。
【００１８】
請求項７に記載の発明は、請求項２〜６のいずれか一項に記載の壁面構造において、
前記複数の縦材１０Ａ〜１０Ｅは、上下に分割されており、下方の部位（第一部位１４１，１５１）における上端部と、上方の部位（第二部位１４２，１５２）における下端部とが、前記ブラケット１１，１２によって前記建物１の躯体に固定されていることを特徴とする。
【００１９】
請求項７に記載の発明によれば、複数の縦材の、下方の部位における上端部と、上方の部位における下端部とが、ブラケットによって建物の躯体に固定されているので、複数の縦材が上下に分割された場合であっても、固定強度を向上させることができる。また、複数の縦材は、上下に分割されているので、持ち運びや現場への輸送がしやすくなり、施工性を向上させることができる。
【発明の効果】
【００２０】
本発明によれば、縦方向のラインを強調して、建物の外壁面における意匠性を向上させることが可能となる。
【図面の簡単な説明】
【００２１】
【図１】外壁面に複数の縦材が設けられた建物を示す斜視図である。
【図２】図１における建物の二階を示す断面図である。
【図３】図１における建物の三階を示す断面図である。
【図４】建物に設けられた複数の縦材を含む壁面構造を示す正面図である。
【図５】建物に設けられた複数の縦材を含む壁面構造を示す断面図である。屋外装置は省略されている。
【図６】図４におけるＡ−Ａ線断面図である。
【図７】図４におけるＢ−Ｂ線断面図である。
【図８】図４におけるＣ−Ｃ線断面図である。
【図９】図４におけるＤ−Ｄ線断面図である。
【図１０】図４におけるＥ−Ｅ線断面図である。
【図１１】図４におけるＦ−Ｆ線断面図である。
【図１２】図４におけるＧ−Ｇ線断面図である。
【図１３】図４におけるＨ矢視図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
図１において符号１は、建物を示す。この建物１は三階建ての住宅であり、建物１正面には、上下方向に延在する複数の縦材１０Ａ〜１０Ｅが設けられている。
建物１は、壁や床、屋根といった建物１の構成要素を予め工場にてパネル化しておき、施工現場でこれらのパネルを組み立てて構築する木質系のパネル工法で構築されるが、これに限られるものではなく、従来の軸組工法や壁式工法の木造、鉄骨造、鉄筋コンクリート造等の建物にも適用することができる。
図２は、このような建物１の二階部分（特定階）を示しており、図３は、建物１の三階部分（特定階の上方向に隣接する隣接階）を示している。また、本実施形態において建物１正面は、南向きとされている。
【００２４】
建物１は、図２，図３に示すように、二階部分及び三階部分が共に、南北方向に寸法が長くなるように形成された中央エリア２と、その西側に位置する西側エリア３と、東側に位置する東側エリア４と、にエリア分けされている。
西側エリア３及び東側エリア４は、中央エリア２よりも南北方向の寸法が短く設定されている。そして、西側エリア３及び東側エリア４の少なくとも南側端部は、中央エリア２の南側端部よりも北側に後退した状態となっている。
これにより、中央エリア２における南側の外壁２０は、前方（南側）に突出した位置に配置されているため、当該中央エリア２における南側の外壁２０は、建物１の外観を構成する主要な立面（すなわち、正面又はファサード）として認識されやすくなる。このような当該中央エリア２における正面側の外壁２０に、上記した複数の縦材１０Ａ〜１０Ｅが設けられている。
【００２５】
中央エリア２の二階における南側には、図２に示すように、二階ダイニングキッチン５が配設されている。
また、中央エリア２の三階における南側には、図３に示すように、インナーバルコニー６が配設されている。さらに、インナーバルコニー６の内側には、三階ダイニングキッチン７が配設されている。
中央エリア２における南側の外壁２０は、建物１の二階部分に対応する外壁２１と、三階部分に対応する外壁２５と、バルコニー手摺２３における立ち上がり壁２８ａと、を含んで構成されている。
【００２６】
二階部分の外壁２１は、二階ダイニングキッチン５と屋外空間とを仕切っており、一部に、窓サッシが嵌め込まれた窓開口部２１ａが形成されている。なお、窓開口部２１ａは、連窓（４連窓）とされている。連窓である窓開口部２１ａ同士の間には、窓サッシが固定される柱２１ｂが設けられている。
二階部分の外壁２１の幅方向両端部には側壁２２，２３が設けられており、これら側壁２２，２３によって、二階ダイニングキッチン５の南側端部と屋外空間とが仕切られている。
なお、二階ダイニングキッチン５から見て、側壁２２の外側（西側）には、西側エリア３に位置するインナーバルコニーが配設されている。
また、二階ダイニングキッチン５から見て、側壁２３の外側（東側）は屋外空間となっている。
さらに、二階部分には、外壁２１よりも更に前方に、間口方向に長尺な帯状の化粧壁２４が設けられている。
【００２７】
三階部分の外壁２５は、インナーバルコニー６と屋外空間とを仕切っており、一部に、インナーバルコニー６を屋外に開放する開口部２５ａが形成されている。
三階部分の外壁２５の幅方向両端部には側壁２６，２７が設けられており、これら側壁２６，２７によって、インナーバルコニー６と屋外空間とが仕切られている。インナーバルコニー６から見て、側壁２６の外側（西側）は屋外空間となっており、側壁２７の外側（東側）も屋外空間となっている。
外壁２５には、開口部２５ａの上方に、庇２５ｂが設けられている。庇２５ｂは、外壁２５を構成する躯体から突出して設けられた庇用ブラケットによって支持されている。また、この庇２５ｂは、図５に示すように、内部が空洞状に構成されて庇用ブラケットを収容できる。さらに、複数の縦材１０Ａ〜１０Ｅの上端部を支持する第三ブラケット１３（後述する）も収容できるようになっている。
なお、図示はしないが、本実施形態においては、縦材１０Ａ〜１０Ｅの上端部が上方に向かって開放されており、庇２５ｂが被さることによって閉塞されているものとする。ただし、これに限られず、縦材１０Ａ〜１０Ｅの上端部も、第三ブラケット１３と同様に、庇２５ｂの内部に収容されるようにしてもよい。
【００２８】
インナーバルコニー６における床６ａの屋外側端部には、バルコニー手摺２８が立設されている。すなわち、バルコニー手摺２８が、三階部分の外壁２５に形成された開口部２５ａに対応して設けられている。なお、床６ａは、三階部分の床を構成する床体（建築用床パネル）であり、屋外方向に突き出すように設けられて、インナーバルコニー６の床を構成している。
バルコニー手摺２８は、インナーバルコニー６における床６ａの屋外側端部に設けられた立ち上がり壁２８ａと、立ち上がり壁２８ａの上端部に設けられた手摺本体２８ｂと、を有する。なお、手摺本体２８ｂは、立ち上がり壁２８ａに固定された複数本の支柱、これら複数本の支柱間に設けられる手摺面材、複数本の支柱の上端部間に架設される手摺笠木を備える。
立ち上がり壁２８ａと三階部分の外壁２５は一体的に形成されており、立ち上がり壁２８ａの屋外側面と、三階部分の外壁２５の屋外側面は面一な状態となっている。
また、立ち上がり壁２８ａの上端部には、当該上端部を化粧するとともに、手摺本体２８ｂにおける複数本の支柱の固定箇所を被覆する立ち上がり笠木２８ｃが設けられている。
立ち上がり笠木２８ｃの屋外側縁部は、図５に示すように、立ち上がり壁２８ａの屋外側面よりも屋外側に突出した状態となっている。
【００２９】
インナーバルコニー６は、あくまでも屋外空間に位置しているため、このインナーバルコニー６と三階ダイニングキッチン７との間には、出入用の窓開口部２９ａが形成された後方外壁２９が設けられている。
この後方外壁２９は、二階部分の外壁２１及び三階部分の外壁２５よりも室内側に後退しており、これによって、三階ダイニングキッチン７の外側に、二階部分の外壁２１に対して縦断面視で凹んだ状態となるインナーバルコニー６（すなわち、凹部）を形成できるようになっている。
より詳細に説明すると、隣接階である三階部分においては、インナーバルコニー６を介して二つの外壁２５，２９が平行に設けられた状態となっている。これら二つの外壁２５，２９の幅方向両端部間に、上記した側壁２６，２７が設けられ、更にバルコニー手摺２８が設けられてインナーバルコニー６である凹部が構成されている。また、インナーバルコニー６の上方には、天井６ｂが設けられており、インナーバルコニー６は、縦断面視で凹んだ状態に形成されている。
【００３０】
以上に説明した外壁２０（２１，２５，２８ａ）や後方外壁２９、その他の各外壁２２〜２４，２６，２７の表面には、耐火性能を有する外壁材Ｗが取り付けられている。外壁材Ｗは、図６〜図１３に示すように、各外壁の形状に応じて形成されたものが使用されており、隣り合う外装材Ｗ，Ｗ間の目地には、シーリング材（目地材）が施されている。また、外壁材Ｗと窓サッシとの間等、その他の水の浸入を防ぐべき位置にもシーリング材が適宜設けられている。
すなわち、以上に説明した外壁２０や後方外壁２９を始めとする各外壁は、外装材Ｗやシーリング材を含んで構成されているものとする。
なお、外壁材Ｗは、複数の縦材１０Ａ〜１０Ｅを構成する材料とは異なる材料によって構成されており、その意匠も複数の縦材１０Ａ〜１０Ｅとは異なるように設定されている。そのため、複数の縦材１０Ａ〜１０Ｅによる縦方向のラインを強調することができ、意匠性を向上させることができるようになっている。
【００３１】
上記した複数本の縦材１０Ａ〜１０Ｅは、特定階である二階部分の外壁面（すなわち、外壁２１の屋外側面）に沿って上下方向に延在して設けられている。そして、これら複数本の縦材１０Ａ〜１０Ｅは、凹部であるインナーバルコニー６の外側前方を通る（突っ切る）ようにして、隣接階である三階部分に連続して延在している。つまり、建物１のファサードを構成する外壁２０は、凹部であるインナーバルコニー６及び開口部２５ａも含んだ状態となっており、このようなファサードに複数本の縦材１０Ａ〜１０Ｅが設けられている。
本実施形態において縦材１０Ａ〜１０Ｅは、図１〜図４に示すように、５本使用されており、東西方向に等間隔に配置されている。符号については、図４において左から１番目が縦材１０Ａとされ、右に向かって順番に、縦材１０Ｂ、縦材１０Ｃ、縦材１０Ｄ、縦材１０Ｅとされている。
【００３２】
縦材１０Ａ〜１０Ｅは、図５〜図１３に示すように、建物１の躯体に固定されたブラケット１１〜１３と、ブラケット１１〜１３に被せられて設けられた化粧カバー１４，１５と、化粧カバー１４，１５の内側面に沿って設けられる中芯部材１６，１７と、二階部分の外壁２１及び三階部分における屋外側の外壁２５それぞれの外壁材Ｗと共に耐火ラインを形成するための不燃材１８と、を備える。
【００３３】
ブラケット１１〜１３には、第一ブラケット１１と、第二ブラケット１２と、第三ブラケット１３とが含まれている。
第一ブラケット１１は、図４，図９，図１３に示すように、外壁２０（２１，２５，２８ａ）から縦材１０Ａ〜１０Ｅまでの間隔が長い場合に使用されるブラケットである。
第二ブラケット１２は、図４，図１２に示すように、外壁２０（２１，２５，２８ａ）から縦材１０Ａ〜１０Ｅまでの間隔が短い場合に使用されるブラケットである。
第三ブラケット１３は、図４に示すように、縦材１０Ａ〜１０Ｅの上端部を外壁２０（２１，２５，２８ａ）に保持させるための金属製のブラケットであり、側面視において略Ｌ字状に形成されている。
【００３４】
第一ブラケット１１及び第二ブラケット１２は、金属板が折曲加工されることで断面ハット型に形成されており、図９，図１２に示すように、それぞれが、建物１の躯体に固定された二つのフランジ部１１ａ・１１ａ，１２ａ・１２ａと、二つのフランジ部１１ａ・１１ａ，１２ａ・１２ａ間に設けられるとともに屋外側に突出し、化粧カバー１４，１５が取り付けられたウェブ部１１ｂ，１２ｂと、を有している。
より詳細に説明すると、フランジ部１１ａ，１２ａは、建物１の躯体表面に面接触し、ビス等の固定具により固定されている。なお、フランジ部１１ａ，１２ａは、ウェブ部１１ｂ，１２ｂよりも上下方向の寸法が長く設定されており、その上部と下部のそれぞれがビス等の固定具によって躯体に固定されている。これにより、外壁２０に対する縦材１０Ａ〜１０Ｅの取付強度を高めることが求められた場合に、好適に対応できる。
また、ウェブ部１１ｂ，１２ｂは、断面コ字状に形成されているため、フランジ部１１ａ，１２ａが躯体に固定された状態において、躯体との間に隙間Ｓを形成できるようになっている。
なお、第一ブラケット１１は、外壁２０までの間隔が長い場合に用いられるものであるため、第一ブラケット１１におけるウェブ部１１ｂの奥行き寸法も長くなる。そのため、ウェブ部１１ｂを構成する両側板部間には、図９に示すように、これら両側板部同士を連結してウェブ部１１ｂを補強する補強板部１１ｃが設けられることが望ましい。すなわち、ウェブ部１１ｂは、基本的には断面コ字状であるが、補強板部１１ｃが設けられることによって断面ロ字状となる。補強板部１１ｃは、ウェブ部１１ｂに対してビス等によって固定されるものでもよいし、ウェブ部１１ｂと一体形成されるものでもよい。
【００３５】
第一ブラケット１１及び第二ブラケット１２を、躯体に固定するに当たっては、外壁材Ｗに開口を形成し、当該開口に貫通させるようにしなければならない。
そのため、外壁材Ｗによって担っていた耐火性能を補完するために、ウェブ部１１ｂ，１２ｂにおける上記の隙間Ｓに不燃材１８が設けられている。
すなわち、ウェブ部１１ｂ，１２ｂの内側には、不燃材１８が設けられているとともに通気用の隙間Ｓが形成されており、不燃材１８は、二階部分の外壁２１及び三階部分における屋外側の外壁２５それぞれの外壁材Ｗと共に耐火ラインを形成している。
【００３６】
化粧カバー１４，１５は、縦材１０Ａ〜１０Ｅの主要部であり、上記したブラケット１１〜１３や中芯部材１６，１７は、化粧カバー１４，１５の形状に対応するように構成されている。
ここで、複数の縦材１０Ａ〜１０Ｅは、上述のように、本実施形態においては５本使用されており、これら５本の縦材１０Ａ〜１０Ｅのうち両端部の２本と、真ん中の３本とで化粧カバー１４，１５の構成が異なる。
すなわち、化粧カバー１４，１５には、第一部位と第二部位とで等しい断面形状に形成された縦材１０Ａ，１０Ｅに対応する第一化粧カバー１４と、第一部位と第二部位とで異なる断面形状に形成された縦材１０Ｂ，１０Ｃ，１０Ｄに対応する第二化粧カバー１５と、が含まれている。
このような第一化粧カバー１４及び第二化粧カバー１５は、例えばアルミニウムやステンレス、鋼材等の金属によって構成され、断面矩形筒状に形成されている。なお、本実施形態における第一化粧カバー１４及び第二化粧カバー１５は、アルミニウムによって構成されている。アルミニウムの場合、型枠成型によって製造できるため、形状の自由度が高まり、意匠性の向上を図りやすい。本実施形態においては、図示はしないが、各カバー１４，１５の表面には、多数の細かい溝が加工形成されている。これにより、表面仕上げをマットな（つや消し）状態にすることができる。このような表面仕上げとすることで、看者に対して落ち着いた印象を与えることができるとともに、日射しの反射も抑えることが可能となっている。
第一化粧カバー１４及び第二化粧カバー１５は、このように金属製であるため、例えば窯業系サイディングボードによって構成される従来公知のピラスターと比較して、後述する屋外装置８０の固定に適したものとなっている。
また、前端面には、意匠性を高めるために、長さ方向に沿って長尺な略Ｌ型や略Ｔ型断面の複数の突条が形成されている。
また、第一化粧カバー１４及び第二化粧カバー１５の下端部には、キャップ部材が設けられており、第一化粧カバー１４及び第二化粧カバー１５の下端部における開放部を閉塞している（図１３参照。）。
【００３７】
縦材１０Ａ，１０Ｅに対応する第一化粧カバー１４は、図６〜図９，図１３に示すように、特定階である二階部分の外壁２１における屋外側面の前方に位置する第一部位１４１と、隣接階である三階部分の外壁２５における屋外側面の前方に位置する第二部位１４２とで、等しい断面形状に形成されている。つまり、第一化粧カバー１４は、その長さ方向に同一の断面形状が連続するように構成されている。
また、第一化粧カバー１４における第一部位１４１と第二部位１４２の双方を建物１の躯体に支持させるブラケットとしては、第一ブラケット１１が対応している。
なお、縦材１０Ａ，１０Ｅは、５本の縦材１０Ａ〜１０Ｅのうち両端に位置するものであるため、側方からの視線を受けやすい。そこで、これら縦材１０Ａ，１０Ｅを構成する第一化粧カバー１４の外壁２０側端部には、図６〜図９，図１３に示すように、第一化粧カバー１４と外壁２０との間の隙間を隠すための側面カバー１４３が設けられている。
側面カバー１４３は、断面略Ｌ字状又は略Ｊ字状に、かつ第一化粧カバー１４の長さ方向に沿って長尺に形成されており、一面が、第一化粧カバー１４の外壁２０側面にボルト留めされている。なお、本実施形態における側面カバー１４３は、化粧カバー１４，１５と同様に、アルミニウムによって構成されており、表面仕上げも同様に、溝加工が行われている。
また、第一化粧カバー１４のように奥行き寸法が短い（細い）場合は、外壁２０までの間隔が長いため、図９に示すように、第一ブラケット１１の奥行き寸法も長くなる。このような第一ブラケット１１の取付状態を安定的なものにするため、第一化粧カバー１４の外壁２０側面には、第一ブラケット１１のウェブ部１１ｂを保持する断面コ字状の保持部材１４４が設けられている。第一ブラケット１１のウェブ部１１ｂは、保持部材１４４における両側板部間に嵌まるようになっており、ボルト留めされている。
【００３８】
縦材１０Ｂ，１０Ｃ，１０Ｄに対応する第二化粧カバー１５は、図４，図５，図１０〜図１２に示すように、特定階である二階部分の外壁２１における屋外側面の前方に位置する第一部位１５１と、隣接階である三階部分の外壁２５における屋外側面の前方に位置する第二部位１５２とで、互いに異なる断面形状に形成されている。つまり、図５において明示されているように、第二化粧カバー１５は、下部である第一部位１５１が前後方向（奥行き方向）に長く（太く）、上部である第二部位１５２が前後方向（奥行き方向）に短く（細く）形成されている。上部である第二部位１５２の前後方向（奥行き方向）の長さは、第一化粧カバー１４の前後方向（奥行き方向）の長さと等しく設定されている。
さらに、第二化粧カバー１５は、第一部位１５１の前端面と第二部位１５２の前端面とが面一に設定されている。そのため、第二化粧カバー１５は、その下部が後方に膨らむようにして形成されており、上部との間には段が形成されている。
上記した第二ブラケット１２は、このような第二化粧カバー１５の第一部位１５１に対応して設けられている。なお、第二化粧カバー１５の第二部位１５２には、第一ブラケット１１が対応している。
また、第一部位１５１における外壁２０側面の両端縁には、外壁２０側に突出する突出縁部１５１ａ，１５１ａが一体形成されており、これら突出縁部１５１ａ，１５１ａ間には、第二ブラケット１２のウェブ部１２ｂが嵌まるようになっている。
なお、第一部位１５１と第二部位１５２との境界は、図４における矢印Ｙのラインによって示す位置であり、本実施形態においては、特定階である二階部分と隣接階である三階部分との境界に相当する。ただし、これに限られるものではなく、第一部位１５１と第二部位１５２との境界を、特定階である二階部分と隣接階である三階部分との境界以外の箇所にしてもよいし、第一部位１５１と第二部位１５２との境界を、特定階である二階部分と隣接階である三階部分との境界以外の複数の箇所にしてもよく、適宜変更可能である。ただし、いずれの場合も、細く形成された第二部位１５２が、バルコニー手摺２８における立ち上がり笠木２８ｃのような屋外側に突出する物の前方に配置されるものとする。
【００３９】
中芯部材１６，１７は、化粧カバー１４，１５の内部に設けられるものであり、例えばアルミニウムやステンレス、鋼材、亜鉛メッキ鋼板等の金属板を折曲加工することによって構成されている。当該中芯部材１６，１７には、第一中芯部材１６と、第二中芯部材１７と、が含まれている。
なお、本実施形態における中芯部材１６，１７は、亜鉛メッキ鋼板や鋼材のような剛性の高い金属によって構成されている。これにより、後述のように屋外装置８０を固定する上で都合が良い。
【００４０】
第一中芯部材１６は、第二化粧カバー１５における奥行き寸法の長い第一部位１５１の内部に設けられるものであり、その奥行き寸法は、第一部位１５１の奥行き寸法の半分程度に設定されている。
そして、第一中芯部材１６は、第二化粧カバー１５における第一部位１５１の外壁２０側に寄せて配置され、第一部位１５１の内側面に対して固定されている。
第二化粧カバー１５における第一部位１５１は、第一中芯部材１６が内側面に沿って固定されることで剛性が向上することになる。
第一中芯部材１６は、第一部位１５１の内部における建物１側面に沿う中央板部１６ａと、左右両側面に沿う左右の側板部１６ｂと、を備える。
中央板部１６ａは、第一部位１５１の内部における建物１側面に沿って設けられているため、第二ブラケット１２を第一部位１５１に固定する場合の固定強度を向上させることができる。
左右の側板部１６ｂは、第一部位１５１の奥行き方向における中央側までの範囲に沿って設けられており、その前側端部は、後述する屋外装置８０の固定位置となっており、屋外装置８０を固定する場合の固定強度を向上させることができる。
【００４１】
第二中芯部材１７は、第一化粧カバー１４の第一部位１４１及び第二部位１４２と、第二化粧カバー１５の第二部位１５２の内部に設けられるものであり、その奥行き寸法は、第一中芯部材１６に比して短い。
そして、第二中芯部材１７は、第一化粧カバー１４の第一部位１４１及び第二部位１４２の外壁２０側と、第二化粧カバー１５の第二部位１５２の外壁２０側に寄せて配置され、第一化粧カバー１４の第一部位１４１及び第二部位１４２の内側面と、第二化粧カバー１５の第二部位１５２の内側面に対して固定されている。
第一化粧カバー１４の第一部位１４１及び第二部位１４２と、第二化粧カバー１５の第二部位１５２は、第二中芯部材１７が内側面に沿って固定されることで剛性が向上することになる。
第二中芯部材１７は、第一化粧カバー１４の第一部位１４１及び第二部位１４２と、第二化粧カバー１５の第二部位１５２の内部における建物１側面に沿う中央板部１７ａと、左右両側面に沿う左右の側板部１７ｂと、を備える。
中央板部１７ａは、第一化粧カバー１４の第一部位１４１及び第二部位１４２と、第二化粧カバー１５の第二部位１５２の内部における建物１側面に沿って設けられているため、第一ブラケット１１を固定する場合の固定強度を向上させることができる。
左右の側板部１７ｂは、後述する屋外装置８０の固定位置となっており、屋外装置８０を固定する場合の固定強度を向上させることができる。
【００４２】
不燃材１８は、上述のように、ウェブ部１１ｂ，１２ｂにおける隙間Ｓに設けられている。より詳細に説明すると、第一ブラケット１１におけるウェブ部１１ｂに不燃材１８を設ける場合は、補強板部１１ｃに取り付けられており、安定的な取り付けが可能となっている。また、第二ブラケット１２におけるウェブ部１２ｂに不燃材１８を設ける場合は、ウェブ部１２ｂにおける第二化粧カバー１５側板部の内側面に取り付けられており、安定的な取り付けが可能となっている。
なお、不燃材１８は、ウェブ部１１ｂ，１２ｂにおける隙間Ｓ以外にも設けられる場合がある。例えば図１１に示す例においては、不燃材１８が、隣り合う窓サッシ間に耐火ラインを形成するために設けられている。すなわち、不燃材１８は、耐火ラインを形成するべき位置に対応して設けられている。
【００４３】
以上のように構成された複数の縦材１０Ａ〜１０Ｅは、第一化粧カバー１４及び第二化粧カバー１５が、第一ブラケット１１、第二ブラケット１２、第三ブラケット１３によって躯体に支持されることによって、凹部であるインナーバルコニー６を含む外壁２０、すなわち建物１のファサードに設けることができるようになっている。
第一ブラケット１１、第二ブラケット１２、第三ブラケット１３は、外壁２０のうち、第一化粧カバー１４及び第二化粧カバー１５を安定的に支持できる位置に取り付けられている。
第二化粧カバー１５の例を挙げて、より具体的に説明すると、第二化粧カバー１５における第一部位１５１と第二部位１５２との境目が、インナーバルコニー６の床６ａにおける屋外側端面の上下方向中央付近にある（図５参照。）。第一部位１５１と第二部位１５２とでは、上述のように、異なる断面形状に形成されたブラケット１１，１２がそれぞれ使用される。
つまり、上記した境目よりも下方の第一部位１５１は、奥行き寸法の短い第二ブラケット１２が使用されて躯体に取り付けられており、境目よりも上方の第二部位１５２は、奥行き寸法の長い第一ブラケット１１が使用されて躯体に取り付けられている。
また、第二ブラケット１２は、第一部位１５１における上端部（床６ａの位置）及び下端部（二階部分の床を構成する床体の位置）のそれぞれに配置されており、第一ブラケット１１は、第二部位１５２における下端部（床６ａの位置）に配置されている。
さらに、第二化粧カバー１５における第二部位１５２の上端部は、第三ブラケット１３によって外壁２０（外壁２５）に取り付けられている。なお、第三ブラケット１３は、上述のように、外壁２５に設置された庇２５ｂの内部に収容されている。
なお、第一ブラケット１１及び第二ブラケット１２が固定された床６ａの屋外側端部は、床６ａを構成する建築用床パネルと、下階の建築用壁パネルと、上階の建築用壁パネル（立ち上がり壁２８ａ）とが設けられる箇所である。そして、床６ａを構成する建築用床パネルの屋外側端部には、胴差部材６ｃが設けられている。すなわち、下階の建築用壁パネルの上面に、建築用床パネルの屋外側端部と、この建築用床パネルの側端面に沿う胴差部材６ｃとが載置され、これら建築用床パネルと胴差部材６ｃとの上面に、上階の建築用壁パネルが立設されている。本実施形態において、第一部位１５１の上端部の取り付けに用いられる第二ブラケット１２と、第二部位１５２の下端部の取り付けに用いられる第一ブラケット１１は、床６ａを構成する建築用床パネルの側端面に設けられた胴差部材６ｃに対して固定されている。
【００４４】
第一化粧カバー１４は、第二化粧カバー１５とは異なり、上下方向に同一断面が連続するものであるため、奥行き寸法の長い第一ブラケット１１が使用されて躯体に取り付けられている。
第一ブラケット１１が設けられる高さ位置は、第二化粧カバー１５において第一ブラケット１１及び第二ブラケット１２が設けられた位置と略等しい高さ位置である。すなわち、第一ブラケット１１は、下方側の第一部位１４１における上端部（床６ａの位置）及び下端部のそれぞれと、上方側の第二部位１４２における下端部（床６ａの位置）に配置されている。
さらに、第一化粧カバー１４における第二部位１４２の上端部は、第三ブラケット１３によって外壁２０（外壁２５）に取り付けられている。なお、第三ブラケット１３は、上述のように、外壁２５に設置された庇２５ｂの内部に収容されている。
【００４５】
第一ブラケット１１、第二ブラケット１２、第三ブラケット１３と、第一化粧カバー１４及び第二化粧カバー１５との接合箇所は、第一化粧カバー１４及び第二化粧カバー１５における外壁２０側端面であり、かつ、第一化粧カバー１４及び第二化粧カバー１５の内部に中芯部材１６，１７が設けられた箇所とされている。
建物１のファサードには、以上のように構成された複数の縦材１０Ａ〜１０Ｅが幅方向（東西方向）に等間隔に配置されている。さらに、これら複数の縦材１０Ａ〜１０Ｅの、外壁２０からの出寸法も略等しく設定されているものとする。
【００４６】
また、隣り合う複数の縦材１０Ａ〜１０Ｅ間のそれぞれには、図４等に示すように、屋外装置８０が設けられて固定されている。
屋外装置８０は、本実施形態においては、外部からの目隠しや日射し調整のためのルーバーが採用されている。当該ルーバー８０は、水平に配置された複数の羽板が上下に間隔を空けて配置されたルーバー本体８１と、ルーバー本体８１の両側端部が嵌め込まれる一対のレール８２と、を備える。
一対のレール８２は、図４に示すように、複数の縦材１０Ａ〜１０Ｅの長さ方向に沿って長尺に形成されており、図６〜図８，図１０，図１１に示すように、第一化粧カバー１４及び第二化粧カバー１５の側面に対してボルト留めされている。ボルト留めされる位置は、第一化粧カバー１４及び第二化粧カバー１５の内側面に沿って第一中芯部材１６又は第二中芯部材１７が設けられた位置である。すなわち、第一化粧カバー１４及び第二化粧カバー１５における剛性の高まった位置に設けられているため、一対のレール８２を安定的かつ強固に留め付けることができるようになっている。
ルーバー本体８１は、第一化粧カバー１４及び第二化粧カバー１５の側面に安定的かつ強固に留め付けられた一対のレール８２に嵌め込まれ、固定具によって固定されて保持されている。そのため、建物１のファサードに、外壁材Ｗを欠損させずに屋外装置を設けたいという要望に対して好適に対応することができる。
また、ルーバー本体８１は、一対のレール８２の長さ方向に複数設けられており、かつ二階部分の外壁２１に形成された窓開口部２１ａを避けて配置されている。三階部分においては、最上方に設けられたルーバー本体８１の上端部が、バルコニー手摺２８の上端部よりも上方に位置した状態となっている。
【００４７】
なお、本実施形態においては、屋外装置としてルーバ―８０を採用したが、これに限られるものではなく、例えばフラワーボックスや、シャッター装置のシャッター本体、庇、オーニング設置等、様々なものを採用してもよい。
また、本実施形態においては、複数のルーバー本体８１が、一対のレール８２の長さ方向に複数設けられているが、一つのルーバー本体８１が設けられるものとしてもよいし、ルーバー８０とその他の屋外装置とを併用してもよい。
【００４８】
以上のような本実施の形態によれば、特定階である二階部分の外壁２１における屋外側面に沿って上下方向に延在する複数本の縦材１０Ａ〜１０Ｅが設けられ、二階部分の上下方向に隣接する隣接階である三階部分は、二階部分の外壁２１における屋外側面よりも室内側に後退する後方外壁２９を含んで構成され、三階部分には、後方外壁２９の前方に、二階部分の外壁２１における屋外側面に対して縦断面視で凹んだ状態となる凹部としてのインナーバルコニー６が形成されており、上下方向に延在する複数の縦材１０Ａ〜１０Ｅは、インナーバルコニー６の前方を通るようにして三階部分側に連続して延在しているので、上下階の外壁面（外壁２１及び後方外壁２９）が上下に亘って真っすぐに設けられていない外壁面であっても、縦方向のラインを強調することができ、意匠性を向上させることができる。
【００４９】
また、縦材１０Ａ〜１０Ｅは、建物１の躯体に固定された第一ブラケット１１〜第三ブラケット１３と、ブラケット１１〜１３に取り付けられた化粧カバー１４，１５と、を備えるので、化粧カバー１４，１５をブラケット１１〜１３で支持することにより、凹部であるインナーバルコニー６の外側を通るようにして配置することができる。
【００５０】
また、第一ブラケット１１及び第二ブラケット１２は、建物１の躯体に固定された二つのフランジ部１１ａ・１１ａ，１２ａ・１２ａを有するので、二つのフランジ部１１ａ・１１ａ，１２ａ・１２ａによって化粧カバー１４，１５を建物１の躯体に安定的に取り付けることができる。
また、第一ブラケット１１及び第二ブラケット１２は、断面ハット型に形成されて、二つのフランジ部１１ａ・１１ａ，１２ａ・１２ａ間に設けられるとともに屋外側に突出し、化粧カバー１４，１５が取り付けられたウェブ部１１ｂ，１２ｂを有するので、ウェブ部１１ｂ，１２ｂの内側を開放状態にすることができる。そのため、縦材１０Ａ〜１０Ｅの内部における通気性を妨げない。
【００５１】
また、ウェブ部１１ｂ，１２ｂの内側には、不燃材１８が設けられているとともに通気用の隙間Ｓが形成されているので、縦材１０Ａ〜１０Ｅの内部における通気性を妨げないようにしながら、縦材１０Ａ〜１０Ｅにおける第一ブラケット１１及び第二ブラケット１２の位置に耐火ラインを形成することができる。
【００５２】
また、複数の縦材１０Ａ〜１０Ｅ間に、ルーバー８０が設けられて固定されているので、ルーバー８０を、縦材１０Ａ〜１０Ｅのブラケット１１〜１３を介して、建物１の躯体に安定的に取り付けることができる。また、ルーバー８０を建物１の躯体に直接固定する必要がないので、外壁面（外壁２１，２５）に設けられる外壁材Ｗに欠損箇所が生じることを防ぐことができる。
さらに、屋外装置としてルーバー８０が用いられているので、外部からの目隠しや日射し調整を行うことができる。
【００５３】
また、複数の縦材（１０Ａ〜１０Ｅ）には、二階部分の外壁２１の前方に位置する第一部位１５１と、インナーバルコニー６の前方に位置する第二部位１５２とで異なる断面形状に形成され、かつ、第一部位１５１の前端面と第二部位１５２の前端面とが面一に設定された縦材１０Ｂ〜１０Ｄが含まれているので、例えば外壁２１の位置やインナーバルコニー６の位置に、上記した立ち上がり笠木２８ｃのような屋外側に突出する物があった場合に好適に対応できる。さらに、建物１を正面から見た場合に、第一部位１５１と第二部位１５２とで断面形状が異なることを見えにくくすることができる。
【００５４】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００５５】
〔変形例１〕
本変形例における建物は、図示はしないが、上階部分に、下階部分の外壁よりも前方に突出するオーバーハング部を備えている。換言すれば、下階部分の外壁は、オーバーハング部を構成する外壁よりも室内側に後退する後方外壁とされている。このような後方外壁における屋外側面の前方には、凹部として、オーバーハング部の下方空間が形成されている。
そして、オーバーハング部を構成する外壁の屋外側面には、当該外壁の屋外側面に沿って上下方向に延在する複数本の縦材が設けられている。さらに、当該複数の縦材は、凹部の前方を通るようにして下階側に連続して延在している。
なお、オーバーハング部の内側は、居室等の屋内空間であってもよいし、バルコニー等の屋外空間であってもよい。
【００５６】
このような本変形例によれば、上下方向に延在する複数の縦材が、下階部分における凹部の前方を通るようにして下階側に連続して延在しているので、上下階の外壁面が上下に亘って真っすぐに設けられていない外壁面であっても、縦方向のラインを強調することができ、意匠性を向上させることができる。
【００５７】
〔変形例２〕
本変形例における複数の縦材は、例えば図４における矢印Ｙのラインによって示す位置で、上下に分割されており、下方の部位（すなわち、第一部位１４１，１５１）における上端部と、上方の部位（すなわち、第二部位１４２，１５２）における下端部とが、ブラケット（図４に示す例では、第一ブラケット１１及び第二ブラケット１２）によって建物１の躯体に固定されている。
より詳細に説明すると、本変形例における複数の縦材は、特定階と隣接階との境界で上下に分割されており、上方の部位における下端部と、下方の部位における上端部は、床６ａの屋外側端部に、第一ブラケット１１及び第二ブラケット１２によって固定されている。
なお、本変形例においては、複数の縦材の分割箇所（分割点）を特定階と隣接階との境界としたが、これに限られるものではなく、例えば分割点を特定階と隣接階との境界以外の箇所にしてもよいし、分割点を特定階と隣接階との境界以外の複数の箇所にしてもよく、適宜変更可能である。ただし、いずれの場合も、第一ブラケット１１及び第二ブラケット１２によって、建物１の躯体に固定されているものとする。
【００５８】
以上のように複数の縦材が上下に分割される場合は、分割箇所に、例えば縦材と同系色のシーリング材によって目隠し処理を行うなどして、分割箇所を目隠ししてもよい。
または、上下に分割した複数の縦材の上側部分と下側部分を、あえて異なる意匠にするなどして縦ラインを強調するようにしてもよい。これに併せ、複数の縦材同士も、あえて異なる意匠にして、一本一本が強調されるようにしてもよい。
【００５９】
このような本変形例によれば、複数の縦材は、特定階と隣接階との境界で上下に分割されているので、持ち運びや現場への輸送がしやすくなり、施工性を向上させることができる。
【符号の説明】
【００６０】
１  建物
２０  外壁
２１  外壁
２１ａ  窓開口部
２５  外壁
２５ａ  開口部
２５ｂ  庇
２８  バルコニー手摺
２８ｃ  立ち上がり笠木
２９  外壁
６  インナーバルコニー
６ａ  床
１０Ａ〜１０Ｅ  縦材
１１  第一ブラケット
１１ａ  フランジ部
１１ｂ  ウェブ部
１２  第二ブラケット
１２ａ  フランジ部
１２ｂ  ウェブ部
１３  第三ブラケット
１４  第一化粧カバー
１４１  第一部位
１４２  第二部位
１５  第二化粧カバー
１５１  第一部位
１５２  第二部位
１６  第一中芯部材
１７  第二中芯部材
１８  不燃材
Ｓ  隙間
【図１】
2019100161.tif 000003
【図２】
2019100161.tif 000004
【図３】
2019100161.tif 000005
【図４】
2019100161.tif 000006
【図５】
2019100161.tif 000007
【図６】
2019100161.tif 000008
【図７】
2019100161.tif 000009
【図８】
2019100161.tif 000010
【図９】
2019100161.tif 000011
【図１０】
2019100161.tif 000012
【図１１】
2019100161.tif 000013
【図１２】
2019100161.tif 000014
【図１３】
2019100161.tif 000015